(57)【要約】【課題】求人者および求職者に対して、インターネットの求人及び求職で利用する情報を集約することで効率的な求人求職が可能な求人求職支援サーバを提供する。【解決手段】求職者に関する情報である求職者情報を記憶する求職者データベース５と、求人者に関する情報である求人者情報を記憶する求人者データベース６と、求職者ごとのポータルサイトである求職者ポータルサイトを提供する求職者ポータル部１０２と、求人者ごとのポータルサイトである求人者ポータルサイトを提供する求人者ポータル部１０３と、求職者ポータルサイトを介し、求人者情報を求職者端末２に提供する企業紹介部１１４と求職者情報と求人者情報とを照合することで、求職者ポータルサイトを介して、求職者の希望に沿う求人者情報を求職者端末２に提供するとともに、求人者ポータルサイトを介して、求人者の希望に沿う求職者情報を求人者端末３に提供する人材紹介部１１５とを備える。【選択図】図３
2008197726.tif 000002
【特許請求の範囲】
【請求項１】
求職者が使用する求職者端末と求人者が使用する求人者端末とにインターネットを介して接続される求人求職支援サーバであって、
求職者に関する情報である求職者情報を記憶する求職者データベースと、
求人者に関する情報である求人者情報を記憶する求人者データベースと、
求職者ごとのポータルサイトである求職者ポータルサイトを提供する求職者ポータル手段と、
求人者ごとのポータルサイトである求人者ポータルサイトを提供する求人者ポータル手段と、
前記求職者ポータルサイトを介して、前記求人者情報を前記求職者端末に提供する企業紹介手段と
前記求職者情報と前記求人者情報とを照合することで、前記求職者ポータルサイトを介して、前記求職者の希望に沿う前記求人者情報を前記求職者端末に提供するとともに、前記求人者ポータルサイトを介して、前記求人者の希望に沿う前記求職者情報を前記求人者端末に提供する人材紹介手段と
を備えることを特徴とする求人求職支援サーバ。
【請求項２】
前記求人求職支援サーバは、
求人者ポータルサイトもしくは求職者ポータルサイトを介して登録された求人者による求職者の採用の決定を確認した後、所定の金額を求職者に電子的に入金し、求職者ポータルサイトを介して求職者に所定の金額を入金したことを連絡する
ことを特徴とする請求項１に記載の求人求職支援サーバ。
【請求項３】
前記求職者データベースに記憶される前記求職者情報は、求職者自身を示す情報である求職者情報と、求職者の希望条件を示す情報である求職者希望条件情報と、前記求人求職支援サーバを利用し求職者の求人者へのアプローチ状況およびその結果を示す情報である求職者履歴情報とを含む
ことを特徴とする請求項１に記載の求人求職支援サーバ。
【請求項４】
前記求人者データベースに記憶される前記求人者情報は、求人者自身を示す情報を含み求人のための広告を形成する情報である求人者広告情報と、求人者の求職者に対する希望条件を示す情報である求人者希望条件情報と、前記求人求職支援サーバの利用履歴や求職者の応募の有無およびそのアプローチ状況とを示す情報である求人者履歴情報を含む
ことを特徴とする請求項１に記載の求人求職支援サーバ。
【請求項５】
前記求人求職支援サーバは、さらに、
求人者自身を示す情報と求人のための広告を形成する情報とを含む情報である前記求人者広告情報と、
求職者の希望条件を示す情報である前記求職者希望条件情報と、求人者の求職者に対する希望条件を示す情報である前記求人者希望条件とから得られた前記求職者の希望に沿う求人者情報かつ前記求人者の希望に沿う求職者情報である照合結果情報が記憶される求人求職支援データベースを備える
ことを特徴とする請求項１に記載の求人求職支援サーバ。
【請求項６】
前記企業紹介手段は、求人者自身を示す情報と求人のための広告を形成する情報とを含む情報の前記求人者広告情報を前記求人者情報より抽出し、前記求人求職支援データベースに記憶する
ことを特徴とする請求項５に記載の求人求職支援サーバ。
【請求項７】
前記人材紹介手段は、前記求職者情報より抽出した求職者の希望条件を示す情報である前記求職者希望条件情報と、前記求人者情報より抽出した求人者の求職者に対する希望条件を示す情報である前記求人者希望条件とを照合し、得られた照合結果情報である前記求職者の希望に沿う求人者情報かつ前記求人者の希望に沿う求職者情報を前記求人求職支援データベースに記憶する
ことを特徴とする請求項５に記載の求人求職支援サーバ。
【発明の詳細な説明】
【技術分野】
【０００１】
本発明は、求人求職支援システムに関し、特に、インターネット等の通信ネットワークを利用した求人求職支援サーバに関する。
【背景技術】
【０００２】
インターネット等のネットワークを利用した求人案内や求人募集が従来から行われている。例えば、企業のホームページで個別に求人広告を掲載するものや、多数の企業の求人情報を一括して掲載する求人サイトのようなものがある。また、求職者が、求人サイトのようなものに年齢・業種・就業エリアなど求職の希望条件を入力し検索することで、求職者の希望条件が合致した求人を閲覧することができ、応募できるサービスもある（例えば、特許文献１参照。）。
【特許文献１】特開２００２−１０９０３６号公報
【発明の開示】
【発明が解決しようとする課題】
【０００３】
しかしながら、従来の求人求職支援システムでは、求人求職で利用する情報が散在してしまっているという問題がある。
【０００４】
つまり、上記特許文献１記載では、求人サイトに求職の希望条件を入力し検索することで、求職者の希望条件が合致した求人を閲覧し応募できるが、求職者自身が能動的に検索するなどして求人者の情報を集める必要があり、求職者自身の職歴などを基に希望する条件で求人者の紹介、すなわち、人材紹介を受けることはできない。そのため、求職者が人材紹介を受けたい場合には、それ専用の別の求人サイトに登録する必要がある。そして、その人材紹介による求人者の紹介はメールや電話などで行われる。そのため、検索するまたは紹介される求人者の情報は異なるサイトに分散していたり、専用にノートに書き残すなどしない限り面接から採用が決定するまでの経過情報が集約されなかったりする。そのため、求職で利用する情報が散在してしまい就職活動に効率的に利用できない。
【０００５】
また、上記特許文献１記載では、求人者は、求人情報を掲載して求職者からのアクセスを待つ必要があり、希望する条件に合致した求職者の人材紹介を受けることができない。そのため、希望する条件に合致した求職者の人材紹介を受けたい場合には、それ専用の別の求人サイトに登録する必要がある。また、その人材紹介による求職者の紹介はメールや電話などで行われる。そのため、希望に合う求職者の応募の情報または希望に合う求職者の紹介の情報は異なるサイトからメールで送信され、面接から採用を決定するまでの経過情報が集約されない。そのため、求人で利用するそれら情報が散在してしまい求人活動に効率的に利用できない。
【０００６】
そこで、本発明は、係る状況に鑑みてなされたものであって、求人者および求職者に対して、インターネットの求人および求職で利用する情報を集約することで効率的な求人求職が可能となる求人求職支援システムを提供することを目的とする。
【課題を解決するための手段】
【０００７】
上記目的を達成するために、本発明に係る求人求職支援サーバは、求職者が使用する求職者端末と求人者が使用する求人者端末とにインターネットを介して接続される求人求職支援サーバであって、求職者に関する情報である求職者情報を記憶する求職者データベースと、求人者に関する情報である求人者情報を記憶する求人者データベースと、求職者ごとのポータルサイトである求職者ポータルサイトを提供する求職者ポータル手段と、求人者ごとのポータルサイトである求人者ポータルサイトを提供する求人者ポータル手段と、前記求職者ポータルサイトを介して、前記求人者情報を前記求職者端末に提供する企業紹介手段と前記求職者情報と前記求人者情報とを照合することで、前記求職者ポータルサイトを介して、前記求職者の希望に沿う前記求人者情報を前記求職者端末に提供するとともに、前記求人者ポータルサイトを介して、前記求人者の希望に沿う前記求職者情報を前記求人者端末に提供する人材紹介手段とを備えることを特徴とする。
【０００８】
この構成により、求職者は、求職活動に利用する情報や過去の求職活動の情報など求職活動に関係する情報を集約したポータルサイトで管理することができ、求人者は企業情報や人材紹介者情報など求人活動に関係する情報を集約したポータルサイトで管理することができるので、求人者および求職者に対して、インターネットの求人および求職で利用する情報を集約した効率的な求人求職が可能となる求人求職支援システムが実現できる。
【０００９】
ここで、好ましくは、前記求人求職支援サーバは、求人者ポータルサイトもしくは求職者ポータルサイトを介して登録された求人者による求職者の採用の決定を確認した後、所定の金額を求職者に電子的に入金し、求職者ポータルサイトを介して求職者に所定の金額を入金したことを連絡することを特徴とする。
【００１０】
この構成により、求職者は採用が決定した場合に所定の特典を取得することができるので、システムを利用して求職を行うことについてインセンティブが働かせることができる。そのため、システムを利用して求職する求職者を確保することができ、システムを利用する求人者も確保することができる。それにより、より多くの企業とより多くの求職者の情報提供が可能になる。
【００１１】
さらに、好ましくは、前記求職者データベースに記憶される前記求職者情報は、求職者自身を示す情報である求職者情報と、求職者の希望条件を示す情報である求職者希望条件情報と、前記求人求職支援サーバを利用し求職者の求人者へのアプローチ状況およびその結果を示す情報である求職者履歴情報とを含むことを特徴とする。
【００１２】
さらに、好ましくは、前記求人者データベースに記憶される前記求人者情報は、求人者自身を示す情報を含み求人のための広告を形成する情報である求人者広告情報と、求人者の求職者に対する希望条件を示す情報である求人者希望条件情報と、前記求人求職支援サーバの利用履歴や求職者の応募の有無およびそのアプローチ状況とを示す情報である求人者履歴情報を含むことを特徴とする。
【００１３】
さらに、好ましくは、前記求人求職支援サーバは、さらに、求人者自身を示す情報と求人のための広告を形成する情報とを含む情報である前記求人者広告情報と、求職者の希望条件を示す情報である前記求職者希望条件情報と、求人者の求職者に対する希望条件を示す情報である前記求人者希望条件とから得られた前記求職者の希望に沿う求人者情報かつ前記求人者の希望に沿う求職者情報である照合結果情報が記憶される求人求職支援データベースを備えることを特徴とする。
【００１４】
さらに、好ましくは、前記企業紹介手段は、求人者自身を示す情報と求人のための広告を形成する情報とを含む情報の前記求人者広告情報を前記求人者情報より抽出し、前記求人求職支援データベースに記憶することを特徴とする。
【００１５】
さらに、好ましくは、前記企業紹介手段は、求人者自身を示す情報と求人のための広告を形成する情報とを含む情報の前記求人者広告情報を前記求人者情報より抽出し、前記求人求職支援データベースに記憶することを特徴とする。
【００１６】
これらの構成により、求人者および求職者に対して、インターネットの求人および求職で利用する情報を集約することができる。
【００１７】
なお、本発明は、装置として実現するだけでなく、その装置を構成する処理手段をステップとする方法として実現したり、それらステップをコンピュータに実行させるプログラムとして実現したりすることもできる。そして、それらプログラム、情報、データ及び信号は、ＣＤ−ＲＯＭ等の記録媒体やインターネット等の通信媒体を介して配信してもよい。
【発明の効果】
【００１８】
本発明により、求人者および求職者に対して、インターネットの求人および求職で利用する情報を集約することで効率的な求人求職が可能となる求人求職支援サーバを実現することができる。特に、インターネットが普及し多数の求人求職サイトがある今日において、本発明の実用的価値は極めて高い。
【発明を実施するための最良の形態】
【００１９】
以下、本発明の実施の形態における求人求職支援サーバについて、図面を参照しながら説明する。
【００２０】
図１は、本発明に係る求人求職支援システムの全体イメージを示す図である。
この求人求職支援システムは、求人求職支援サーバ１を利用して仕事を希望する求職者によって使用される求職者端末２と、求人求職支援サーバ１を利用して人材の募集を行う企業等の求人者が使用する求人者端末３と、求職者端末２と求人者端末３とに対して求人求職支援を行う求人求職支援サーバ１とが、インターネットを介して接続されている。
【００２１】
図２は、本発明に係る求人求職支援システムのハードウェア構成を示す図である。
求職支援システムは、求人求職支援サーバ１と求職者端末２と求人者端末３とから構成される。求人求職支援サーバ１は、求人求職支援サーバ１とインターネットとを接続する通信アダプタであるＩ／Ｆ（インターフェース）４と、求職者に関する情報を記憶する求職者別データベース５と、求人者に関する情報を記憶する求人者別データベース６と、求人者が求人広告するための求人企業サイトを形成する情報および求人者求職者双方に人材紹介を行うための情報を記憶する求人求職支援データベース７とを備える。
【００２２】
求人求職支援サーバ１は、求職者が使用する求職者端末２あるいは求人者が使用する求人者端末３の要求に応じてそれぞれに専用のポータルサイトを提供する情報をＩ／Ｆ４を介して提供する。
【００２３】
図３は、本発明に係る求人求職支援システムの特徴的な機能構成を示すブロック図である。
【００２４】
つまり、図２に示されるハードウェア構成によって発揮される求人求職支援システムの機能のうち、本発明に関わる機能を示すブロック図である。
【００２５】
この求人求職支援システムは、求人求職支援サーバ１と求職者端末２と求人者端末３とから構成される。求人求職支援サーバ１は、求職者が使用する求職者端末と求人者が使用する求人者端末とにインターネットを介して接続される求人求職支援サーバであって、Ｉ／Ｆ４と、処理部１０１と、処理部に含まれる求職者別ポータル処理部１０２および求人者別ポータル処理部１０３と、求職者別データベース５に含まれる求職者における希望情報１０４、個人情報１０５、設定情報１０６および履歴情報１０７と、求人者別データベース６に含まれる求人者における希望情報１０９、企業情報１１０、設定情報１１１および履歴情報１１２と、マッチング処理部１１３と、マッチング処理部１１３に含まれる企業紹介マッチング処理部１１４および人材紹介マッチング処理部１１５と、求人求職支援データベース７と、求人求職支援データベース７に含まれる希望マッチング結果情報１１６と、求人企業広告情報１１７とを備える。また、求職者端末２は、ブラウザ２０１と入出力部２０２と備え、求人者端末３は、ブラウザ３０１と入出力部３０２とを備える。
【００２６】
Ｉ／Ｆ４は、求人求職支援サーバ１とインターネットとを接続する通信アダプタである。
【００２７】
処理部１０１は、求職者別ポータル処理部１０２と求人者別ポータル処理部１０３とを含み、求職者端末２あるいは求人者端末３の要求に応じて、求職者毎および求人者毎に専用のポータルサイトを提供する情報をＩ／Ｆ４を介して求職者端末２あるいは求人者端末３に提供する。
【００２８】
求職者別ポータル処理部１０２は、本発明に係る求職者ポータル手段に相当し、求職者毎のポータルサイトである求職者ポータルサイトを提供する情報を提供する。具体的には、求職者端末２の要求に応じて、求職者毎に専用のポータルサイトを提供する情報をＩ／Ｆ４を介して求職者端末２に提供する。
【００２９】
求人者別ポータル処理部１０３は、本発明に係る求人者ポータル手段に相当し、求人者毎のポータルサイトである求人者ポータルサイトを提供する情報を提供する。具体的には、求人者端末３の要求に応じて、求人者毎に専用のポータルサイトを提供する情報をＩ／Ｆ４を介して求人者端末３に提供する。
【００３０】
求職者別データベース５は、本発明に係る求職者データベースに相当し、求職者に関する情報である求職者情報を記憶する。具体的には、求職者に関する情報である個人情報１０５や希望情報１０４、設定情報１０６、履歴情報１０７などを記憶する。
【００３１】
求人者別データベース６は、本発明に係る求人者データベースに相当し、求人者に関する情報である求人者情報を記憶する。具体的には、求人者に関する情報である希望情報１０９や企業情報１１０、希望情報１０９、設定情報１１１、履歴情報１１２などを記憶する。
【００３２】
希望情報１０４は、本発明に係る求職者情報に相当し、求職者に関する情報である。具体的には、業種や、勤務地、年収、勤務時間などの求職者の希望する条件を示す情報であり、求職者別データベース５に記憶される。
【００３３】
個人情報１０５は、本発明に係る求職者情報に相当し、求職者に関する情報である。具体的には、氏名や所在地、年齢、職歴、保有資格など求職者自身を示す個人情報であり、求職者別データベース５に記憶される。
【００３４】
設定情報１０６は、本発明に係る求職者情報に相当し、求職者に関する情報である。具体的には、ポータル画面における表示位置の変更や、気になる求人サイト情報をポータル画面に新たに表示したり、必要のない求人サイト情報を削除したりするポータル画面表示に関する設定情報であり、求職者別データベース５に記憶される。
【００３５】
履歴情報１０７は、本発明に係る求職者情報に相当し、求職者に関する情報である。具体的には、求人求職支援サーバ１を利用し求職者の求人者へのアプローチ状況およびその結果や求職者のアクセス履歴、求職者への支度金の入金状況の情報であり、求職者別データベース５に記憶される。ここで、支度金とは、本発明の求人求職支援システムの提供する求職者専用ポータルサイトを利用して求職者が希望する求人者より採用されたとき、祝い金もしくは就職準備金として求人求職支援サーバ１の事業者から求職者へ支払われるお金である。
【００３６】
希望情報１０９は、本発明に係る求人者情報に相当し、求人者に関する情報である。具体的には、職種や、勤務地、年齢範囲、職務経験、雇用形態、保有資格、年収など求職者に対して求人者の希望する条件を示す情報である。
【００３７】
企業情報１１０は、本発明に係る求人者情報に相当し、求人者に関する情報である。具体的には、企業名称や、所在地、業種、設立年、従業員数、代表者など求人者自身を示す情報を含み求人するための求人広告としてＷＥＢ画面を形成する情報であり、求人者別データベース６に記憶される。
【００３８】
設定情報１１１は、本発明に係る求人者情報に相当し、求人者に関する情報である。具体的には、ポータル画面における表示位置の変更や、企業サイトに載せる求人情報およびそのレイアウト画面を変更などのポータル画面表示に関する設定情報であり、求人者別データベース６に記憶される。
【００３９】
履歴情報１１２は、本発明に係る求人者情報に相当し、求人者に関する情報である。具体的には、求人求職支援サーバ１の利用履歴や求職者の応募の有無およびそのアプローチ状況、契約金の入金状況を示す情報であり、求人者別データベース６に記憶される。ここで、契約金とは、本発明の求人求職支援システムの提供する求人者専用ポータルサイトを利用して求職者を採用したときに、求人者から求人求職支援サーバ１の事業者へ支払われるお金である。
【００４０】
また、この契約金の一部が求人求職支援サーバ１の事業者から求職者へ支度金として支払われる。
【００４１】
マッチング処理部１１３は、企業紹介マッチング処理部１１４と人材紹介マッチング処理部１１５とを含み、求職者別ポータル処理部１０２や求人者別ポータル処理部１０３の要求に応じて希望マッチング結果情報１１６を提供したり、求職者別ポータル処理部１０２の要求に応じて求人企業広告情報１１７を求人企業サイトとして提供したりする。
【００４２】
人材紹介マッチング処理部１１５は、本発明に係る人材紹介手段に相当し、前記求職者情報と前記求人者情報とを照合することで、前記求職者ポータルサイトを介して、前記求職者の希望に沿う前記求人者情報を前記求職者端末に提供するとともに、前記求人者ポータルサイトを介して、前記求人者の希望に沿う前記求職者情報を前記求人者端末に提供する。具体的には、人材紹介マッチング処理部１１５は、求職者別データベース５より抽出した希望情報１０４および個人情報１０５と求人者別データベース６より抽出した希望情報１０９および企業情報１１０とを照合することで希望条件に合致する求職者と求人者とを特定し、希望マッチング結果情報１１６として求人求職支援データベース７に記憶する。人材紹介マッチング処理部１１５は、求職者別ポータル処理部１０２の要求に応じて、求人求職支援データベース７に記憶した希望マッチング結果情報１１６から人材紹介での参考希望マッチング情報を、求職者ポータルサイトを介して求職者の希望に沿う求人者情報として求職者端末２に提供する。また、人材紹介マッチング処理部１１５は、求人者別ポータル処理部１０３の要求に応じて、求人求職支援データベース７に記憶した希望マッチング結果情報１１６から人材紹介での参考希望マッチング情報を、求人者ポータルサイトを介して求人者の希望に沿う求職者情報として求人者端末３に提供する。
【００４３】
企業紹介マッチング処理部１１４は、本発明に係る企業紹介手段に相当し、前記求職者ポータルサイトを介して、前記求人者情報を前記求職者端末に提供する。具体的には、企業紹介マッチング処理部１１４は、求職者別ポータル処理部１０２の要求に応じて、求職者別データベース５より抽出した希望情報１０４と求人求職支援データベース７に記憶された求人企業広告情報１１７とを照合することで、希望マッチング情報希望条件に合致した求人者の求人企業広告を、希望に沿う求人者サイト（ここでは、参考希望マッチング情報と呼ぶ。）として、求職者ポータルサイトを介して求職者端末２に提供する。
【００４４】
求人求職支援データベース７は、本発明に係る求人求職支援データベースに相当し、求人者自身を示す情報と求人のための広告を形成する情報とを含む情報である前記求人者広告情報と、求職者の希望条件を示す情報である前記求職者希望条件情報と、求人者の求職者に対する希望条件を示す情報である前記求人者希望条件とから得られた前記求職者の希望に沿う求人者情報かつ前記求人者の希望に沿う求職者情報である照合結果情報が記憶される。具体的には、企業紹介マッチング処理部１１４により特定された求職者および求人者の希望に沿う求職者および求人者の情報を含めた希望マッチング結果情報１１６が記憶され、企業紹介マッチング処理部１１４により求人企業広告サイトを形成する情報として求人企業広告情報１１７が記憶される。
【００４５】
希望マッチング結果情報１１６は、本発明に係る照合結果情報に相当し、求職者の希望条件を示す情報である前記求職者希望条件情報と、求人者の求職者に対する希望条件を示す情報である前記求人者希望条件とから得られた前記求職者の希望に沿う求人者情報かつ前記求人者の希望に沿う求職者情報である。具体的には、求職者別データベース５より抽出された希望情報１０４および個人情報１０５と、求人者別データベース６より抽出された希望情報１０９および企業情報１１０とを照合し特定された希望条件に合致する求職者と求人者との情報であり、求人求職支援データベース７に記憶される。
【００４６】
求人企業広告情報１１７は、本発明に係る求人者広告情報に相当し、前記求人者データベースに記憶される前記求人者情報は、求人者自身を示す情報を含み求人のための広告を形成する情報である。具体的には、求人者別データベース６より抽出された希望情報１０９と企業情報１１０とから形成された求人企業広告サイト情報であり、求人求職支援データベース７に記憶される。
【００４７】
求職者端末２は、求職者それぞれが使用する端末であり、この求職者端末２の入出力部２０２から参考マッチング情報および希望マッチング情報を含む求職者専用のポータルサイトを提供する情報を送受信する。
【００４８】
入出力部２０２は、Ｉ／Ｆ４を介して求人求職支援サーバ１の求職者別ポータル処理部１０２から参考マッチング情報および希望マッチング情報とを含む求職者専用のポータルサイトを提供する情報を送受信する。
【００４９】
ブラウザ２０１は、入出力部２０２より送受信された求職者専用のポータルサイトを提供する情報に従い、求職者専用のポータルサイトを表示する。このとき、参考マッチング情報は人材紹介として、希望マッチング情報は希望に沿う求人者サイトとして、求職者専用のポータルサイトに表示される。
【００５０】
求人者端末３は、求人者それぞれが使用する端末であり、この求人者端末３の入出力部３０２から参考希望マッチング情報および求人企業広告情報１１７を含む求人者専用のポータルサイトを提供する情報を送受信する。
【００５１】
入出力部３０２は、Ｉ／Ｆ４を介して求人求職支援サーバ１の求人者別ポータル処理部１０３から参考希望マッチング情報および求人企業広告情報１１７を含む求人者専用のポータルサイトを提供する情報を送受信する。
【００５２】
ブラウザ３０１は、入出力部３０２より送受信された参考希望マッチング情報および求人企業広告情報１１７を含む求人者専用のポータルサイトを提供する情報に従い、求人者専用のポータルサイトを表示する。このとき、参考マッチング情報は人材紹介として、求人企業広告情報１１７は求人者自身の求人者サイトとして、求人者専用のポータルサイトに表示される。
【００５３】
図４は、本発明に係るブラウザで表示される求職者専用のポータルサイトの画面イメージの一例図である。図４の求職者専用のポータルサイトには、職種検索セクション４０１、キーワード検索セクション４０２、条件検索セクション４０３、新着求人情報セクション４０４、希望マッチング情報セクション４０５、トピックスセクション４０６および人材紹介新着情報セクション４０７があり、個人情報編集ボタン４０８、ログアウトボタン４０９および設定変更ボタン４１０がある。また、図４の求職者専用のポータルサイトには、メインページ以外に人材紹介ページ、履歴ページ、企業１ページ、企業２ページおよび企業３ページなどがある。メインページ以外のページに直接移動したり、メインページのセクションから関連するページへ移動したりすることができるようになっている。
【００５４】
職種検索セクション４０１は、例えば、営業あるいは事務など希望する職種から求人企業を検索することができる。
【００５５】
キーワード検索セクション４０２は、キーワードから求人企業を検索することができる。例えば、希望する職種内容に含まれる言葉から求人企業を検索できる。
【００５６】
条件検索セクション４０３は、キーワードや条件から求人企業を検索することができる。例えば希望する職種、勤務地、業種、年収などの条件から求人企業を検索できる。
【００５７】
新着求人情報セクション４０４は、例えば一週間の間、新たに企業広告サイトに求人企業情報を掲載した情報を紹介する。
【００５８】
希望マッチング情報セクション４０５は、求職者ポータルサイトを介して登録された求職者に関する情報（ここでは、希望情報１０４および個人情報１０５）を照合し、合致した求人者の求人企業広告サイトを紹介する。
【００５９】
トピックスセクション４０６は、求職者ポータルサイトを介して登録された求職者に関する情報から、求職者の住む地域のニュースやイベント情報やお店などの地域情報や、転職活動に必要な常識情報などの求職者が行う就職活動支援などの情報を紹介する。
【００６０】
人材紹介新着情報セクション４０７は、例えば、一週間の間に新たに登録あるいは更新された求人者が人材紹介マッチング処理部１１５より照合され求人求職支援データベース７に記憶された求人者がいることを表示する。人材紹介を希望する場合あるいは人材紹介に紹介された求人者を確認したい場合には、人材紹介新着情報セクション４０７から人材紹介ページへ移動して確認したり、求職者専用ポータルサイト上で直接に人材紹介ページへ移動して確認したりする。
【００６１】
個人情報編集ボタン４０８は、求職者の個人情報１０５を編集するために用いられるボタンであり、個人情報編集ボタン４０８を押すことで、求職者の個人情報１０５を編集できる画面が表示される。
【００６２】
ログアウトボタン４０９は、求職者専用のポータルサイトを終了するために用いられるボタンであり、ログアウトボタン４０９を押すことで、求職者専用のポータルサイトの表示を終了する。
【００６３】
設定変更ボタン４１０は、求職者の設定情報１０６を編集するために用いられるボタンであり、設定変更ボタン４１０を押すことで、ポータル画面における表示位置の変更や、気になる求人サイト情報をポータル画面に新たに表示したり、必要のない求人サイト情報を削除したりするポータル画面表示に関する設定情報を変更できる画面が表示される。
【００６４】
図５は、本発明に係るブラウザで表示される求人者専用のポータルサイトの画面イメージの一例図である。図５の求職者専用のポータルサイトには、求人企業広告確認セクション５０１、求職者応答情報セクション５０２、新着求職者依頼情報セクション５０３、人材紹介新着情報セクション５０４、企業情報編集ボタン５０５、ログアウトボタン５０６および設定変更ボタン５０７がある。また、図５の求職者専用のポータルサイトには、メインページ以外に求人企業紹介サイトページ、履歴ページ、求職者１ページ、求職者２ページおよび求職者３ページなどがある。メインページ以外のページに直接移動したり、メインページのセクションから関連するページへ移動できるようになっている。
【００６５】
求人企業広告確認セクション５０１は、求人者自身の求人企業情報掲載の状況、すなわち、求人者自身の求人広告サイトを表示する。ここでは、求職者専用ポータルサイトでどのように表示されるかを確認できる。さらに、この求人企業広告確認セクション５０１の枠で表示されない詳しい求人広告サイトの情報は、求人企業紹介サイトページで確認できる。
【００６６】
求職者応答情報セクション５０２は、求職者からの回答などの情報があるかどうかを表示する。さらに、求職者からの新着および過去の回答情報の詳細は、専用ページに移動することで確認できるようになっている。
【００６７】
新着求職者依頼情報セクション５０３は、求職者からの応募（図中、求職依頼と表示。）の情報があるかどうかを表示する。さらに、この新着求職者依頼情報セクション５０３の枠で表示されない詳しい求職者からの情報は、専用ページで確認できる。
【００６８】
人材紹介新着情報セクション５０４は、例えば、一週間の間に新たに登録あるいは更新された求職者が人材紹介マッチング処理部１１５より照合されて求人求職支援データベース７に記憶されたことを表示する。そこで、人材紹介を希望する場合あるいは人材紹介に紹介された求職者を確認したい場合には、人材紹介新着情報セクション５０４から人材紹介ページへ移動して確認する。このとき、求人者専用ポータルサイト上で直接に人材紹介ページへ移動して確認してもよい。
【００６９】
企業情報編集ボタン５０５は、求人者の企業情報１１０を編集できる画面に移動するために用いられるボタンであり、企業情報編集ボタン５０５を押すことで、求人者の企業情報１１０を編集できる画面が表示される。
【００７０】
ログアウトボタン５０６は、求人者専用のポータルサイトを終了するために用いられるボタンであり、ログアウトボタン５０６を押すことで、求人者専用のポータルサイトの表示を終了する。
【００７１】
設定変更ボタン５０７は、求人者の設定情報１１１を編集するために用いられるボタンであり、設定変更ボタン５０７を押すことで、ポータル画面における表示位置の変更や、企業サイトに載せる求人情報およびそのレイアウト画面を変更などのポータル画面表示に関する設定情報を変更できる画面が表示される。
【００７２】
次に、以上のように構成された本実施の形態における求人求職支援システムの動作について説明する。
【００７３】
図６は、本発明の実施の形態における求職者専用ポータルサイトを作成する処理手順を説明するためのフローチャートである。
【００７４】
まず、求職者端末２は、求人求職支援サーバ１が提供するホームページへ求職するためにアクセスする（Ｓ１０）。
【００７５】
次に、求人求職支援サーバ１は、求職者端末２から求職のためのアクセスがあったことを確認し、求職者専用ポータルサイトを作成するための基本情報である求職者確認登録画面を求職者端末２に対して送信する（Ｓ１１）。
【００７６】
次に、求職者端末２は求人求職支援サーバ１より求職者確認登録画面を受信する。求職者は求職者確認登録画面に個人情報１０５を入力する。そして、求職者端末２は入力された個人情報１０５を求人求職支援サーバ１に送信する（Ｓ１２）。
【００７７】
次に、求人求職支援サーバ１は、求職者端末２より送信された求職者確認登録画面に入力された個人情報１０５を受信する。そして、求職者の個人情報１０５を求職者別データベース５（以下、求職者別ＤＢと記載。）へ記憶し、求職者専用のポータルサイトにアクセスするための求職者のＩＤおよびパスワード（以下、求職者ＩＤ／ＰＷと記載。）を求職者端末２に送信する（Ｓ１３）。
【００７８】
以上の処理により、求職者は、求職者専用ポータルサイトを作成することができる。
図７は、本発明の実施の形態における求職者専用ポータルサイトを表示する処理手順を説明するためのフローチャートである。
【００７９】
まず、求職者端末２は、求人求職支援サーバ１が提供するホームページにおいて、求職者ＩＤ／ＰＷを入力する画面を表示させる（Ｓ２０）。
【００８０】
次に、求職者端末２は、求職者ＩＤ／ＰＷ入力画面において求職者専用に与えられた求職者ＩＤ／ＰＷを入力する（Ｓ２１）。
【００８１】
求職者ＩＤ／ＰＷが求人求職支援サーバ１に登録されている場合（Ｓ２１の登録済のフロー）、求人求職支援サーバ１は、求職者ＩＤ／ＰＷ入力画面において入力された求職者ＩＤ／ＰＷを受信する（Ｓ２２）。そして、求人求職支援サーバ１は、求職者別ＤＢ５から求職者ＩＤの属性情報を収集する（Ｓ２３）。ここで、求職者ＩＤの属性情報とは、図３における希望情報１０４、個人情報１０５、設定情報１０６および履歴情報１０７である。
【００８２】
次に、求人求職支援サーバ１は、収集した求職者ＩＤの属性情報に応じて求職者専用ポータルサイトを提供する情報（以下、求職者専用ポータルサイト情報と記載。）を求職者端末２に提供する（Ｓ２４）。
【００８３】
次に、求職者端末２は、求職者専用ポータルサイト情報を受信し、求職者ＩＤ専用のポータルサイトを表示する（Ｓ２５）。
【００８４】
ただし、求職者ＩＤ／ＰＷが求人求職支援サーバ１に登録されていない場合（Ｓ２１の新規のフロー）、求人求職支援サーバ１は求職者ＩＤ／ＰＷ入力画面にて入力された求職者ＩＤ／ＰＷを受信しない。そして、求職者端末２から求職のためにアクセスされたとみなし、求職者専用ポータルサイトを作成するための基本情報である求職者確認登録画面を求職者端末２に対して送信する。
【００８５】
以上の処理により、求職者は、求職者専用ポータルサイトを表示することができる。
図８は、本発明の実施の形態における求職者専用ポータルサイトにおいて求人者を検索する処理手順を説明するためのフローチャートである。
【００８６】
まず、求職者は求職者専用ポータルサイトに表示された画面で、例えば、営業などの希望職種を検索条件を入力し、検索する。
【００８７】
求職者端末２は、求職者ＩＤ専用のポータルサイトで求職者により入力された検索条件情報を求人求職支援サーバ１に送信する（Ｓ３０）。
【００８８】
次に、求人求職支援サーバ１は、求職者端末２より送信された検索条件情報を受信する（Ｓ３１）。
【００８９】
次に、求人求職支援サーバ１は、受信した検索条件情報と求人求職支援データベース７に記憶されている求人企業広告情報１１７とをマッチング処理部１１３で照合する。そして、マッチング処理部１１３で照合されて求職者の検索条件に合った求人情報として提供される求人企業広告情報１１７を送信する（Ｓ３２）。
【００９０】
次に、求職者端末２は、求人求職支援サーバ１の処理部１０１より提供された求人者情報を受信し（Ｓ３３）、次に、求職者専用ポータルサイトに提供された求人者情報を表示する（Ｓ３４）。ここで、求人者情報とは、求人企業広告情報１１７であり、求職者専用ポータルサイトでは求人企業サイトとして表示される。
【００９１】
次に、求職者端末２は、求職者専用ポータルサイトに表示された求人者情報を、求職者専用ポータルサイトの１ページとして登録するかどうかを決定する（Ｓ３５）。求職者専用ポータルサイトに表示した求人者情報を、求職者専用ポータルサイトの１ページとして登録する場合には（Ｓ３５のＹＥＳのフロー）、求人求職支援サーバ１は求職者ＩＤの設定情報１０６として求職者別ＤＢ５に記憶する（Ｓ３６）。
【００９２】
以上の処理により、求職者は、求職者専用ポータルサイトで希望する条件で求人者を検索することができ、検索して得られた求人者の求人企業サイトを求職者専用ポータルサイトに登録することができる。
【００９３】
図９は、本発明の実施の形態における人材紹介ページで紹介された求人者を求職者専用のポータルサイトに登録する場合の処理手順を説明するためのフローチャートである。
【００９４】
まず、求職者端末は、求職者専用ポータルサイトにアクセスし、人材紹介ページを表示する（Ｓ４０）。
【００９５】
次に、求職者端末２は、求職者専用ポータルサイトで表示された人材紹介ページのある求人者情報を、求職者専用ポータルサイトの１ページとして登録するかどうかを決定する（Ｓ４１）。求職者専用ポータルサイトに表示した人材紹介ページのある求人者情報を、求職者専用ポータルサイトの１ページとして登録する場合には（Ｓ４１のＹＥＳのフロー）、求人求職支援サーバ１は求職者ＩＤの設定情報１０６として求職者別ＤＢ５に記憶する（Ｓ４２）。
【００９６】
以上の処理により、求職者は、求職者専用ポータルサイトに人材紹介ページで紹介された求人者を求職者専用ポータルサイトに登録することができる。
【００９７】
図１０は、本発明の実施の形態における求職者が面接依頼をして求人者から面接結果を受けるまでの処理手順を説明するためのフローチャートである。
【００９８】
まず、求職者端末２は、求職者専用ポータルサイトで求人企業サイトあるいは人材紹介ページを表示する（Ｓ５０）。
【００９９】
次に、希望条件に合った求人企業に対して面接依頼するかどうかを決定する（Ｓ５１）。
【０１００】
希望条件に合った求人者に対して面接依頼する場合には（Ｓ５１のＹｅｓの場合）、面接依頼に必要な情報を求職者専用ポータルサイトで表示された画面で入力し、希望する求人者に対する面接依頼情報を求職者端末２より求人求職支援サーバ１へ送信する（Ｓ５２）。
【０１０１】
次に、求人求職支援サーバ１は、求職者が希望する求人者に対する面接依頼情報を受信する（Ｓ５３）。
【０１０２】
そして、求人求職支援サーバ１は、受信した面接依頼情報を履歴情報１０７として求職者別ＤＢ５に記憶し（Ｓ５４）、求職者が希望する求人者の求人者端末３に対して、面接申し込み情報を送信する（Ｓ５５）。
【０１０３】
次に、求人者端末３は、求人求職支援サーバ１より送信された面接申し込み情報を受信する（Ｓ５６）。
【０１０４】
次に、求人者は面接申込した求職者について面接を実施するかについての選考を行い、その面接申し込みした求職者に対する面接選考結果を求人者端末３に入力する。求人者端末３は、入力された面接結果を面接申込者選考結果として送信する（Ｓ５７）。
【０１０５】
次に、求人求職支援サーバ１は、求人者端末３より送信された面接申込者選考結果を受信し、面接申込者選考結果を、該当する求職者の履歴情報１０７として求職者別ＤＢ５に、求人者の履歴情報１１２として求人者別データベース６（以下、求人者別ＤＢ６と記載。）に記憶する（Ｓ５９）。
【０１０６】
次に、求人求職支援サーバ１は、面接申込者選考結果を、求職者に対する選考結果情報として送信する（Ｓ６０）。
【０１０７】
次に、求職者端末２は、求人求職支援サーバ１より送信された選考結果情報を受信し（Ｓ６１）、その選考結果情報を求職者専用ポータルサイトに表示する（Ｓ６２）。
【０１０８】
以上の処理により、求職者は、求職者専用ポータルサイトを介して求人者へ面接依頼をし、その選考結果を受けることができる。
【０１０９】
図１１は、本発明の実施の形態における求職者が求人者と面接後、求職者専用ポータルサイトを介して求人者からの面接結果を受けるまでの処理手順を説明するためのフローチャートである。
【０１１０】
求人者は面接した求職者について選考を行い、その面接した求職者に対する面接結果を求人者端末３に入力する。求人者端末３は、入力された面接結果を面接結果情報として送信する（Ｓ７０）。
【０１１１】
次に、求人求職支援サーバ１は、求人者端末３より送信された面接結果情報を受信し（Ｓ７１）、面接結果情報を、該当する求職者の履歴情報１０７に含めて求職者別ＤＢ５に、該当する求人者の履歴情報１１２に含めて求人者別ＤＢ６に記憶する（Ｓ７２）。
【０１１２】
次に、求人求職支援サーバ１は、求職者に対する面接結果情報を求職者端末２へ送信する（Ｓ７３）。
【０１１３】
次に、求職者端末２は、求人求職支援サーバ１より送信された面接結果情報を受信し（Ｓ７４）、その面接結果情報を求職者専用ポータルサイトに表示する（Ｓ７５）。
【０１１４】
以上の処理により、求職者は、求職者専用ポータルサイトを介して求人者よりその面接結果を受けることができる。
【０１１５】
図１２は、本発明の実施の形態における求人者から面接結果を求職者専用ポータルサイトに求職者自らが登録する処理手順を説明するためのフローチャートである。
【０１１６】
求職者は求人者より連絡を受けた面接結果を求職者端末２に入力する。求職者端末２は、入力された面接結果を面接結果情報として求人求職支援サーバ１に送信する（Ｓ８０）。
【０１１７】
次に、求人求職支援サーバ１は、求職者端末２より送信された面接結果を受信し（Ｓ８１）、面接結果情報を、求職者の履歴情報１０７として求職者別ＤＢ５に、該当する求人者の履歴情報１１２として求人者別ＤＢ６に記憶する（Ｓ８２）。
【０１１８】
次に、求人求職支援サーバ１は、面接結果情報を、求人者端末３に送信する（Ｓ７３）。
【０１１９】
次に、求人者端末３は、求人求職支援サーバ１より送信された面接結果情報を受信し（Ｓ８４）、その面接結果情報を求人者専用ポータルサイトに表示する（Ｓ８５）。
【０１２０】
以上の処理により、求職者は、求職者専用ポータルサイトを介して求人者からの面接結果を登録することができる。
【０１２１】
図１３は、本発明の実施の形態における求職者へ支度金が入金されるまでの処理手順を説明するためのフローチャートである。
【０１２２】
まず、求職者端末２は、受信した面接結果情報を求職者専用ポータルサイトに表示する（Ｓ７５）。ここで、受信した面接結果情報は採用通知である。
【０１２３】
次に、求職者は、面接結果を提示した求人者に対する就労意思を確認する。そして、求職者が就労する意思を固める場合、求職者は、就労する旨の情報を求職者専用ポータルサイトに入力し、同時に支度金を請求する情報を入力する。求職者端末２は、就労する旨の情報と支度金の請求情報とを求人求職支援サーバ１に送信する（Ｓ９０）。
【０１２４】
次に、求人求職支援サーバ１は、求職者端末２より送信された就労する旨の情報と支度金の請求情報を受信し（Ｓ９１）、その就労する旨の情報と支度金の請求情報を、該当する求職者の履歴情報１０７に含めて求職者別ＤＢ５に、該当する求人者の履歴情報１１２に含めて求人者別ＤＢ６に記憶する（Ｓ９２）。
【０１２５】
次に、求人求職支援サーバ１は、求職者の就労する旨の情報および契約金請求情報を該当する求職者端末２に送信する（Ｓ９３）。
【０１２６】
次に、求人者端末３は、求人求職支援サーバ１より送信された求職者の就労する旨の情報および契約金請求情報を受信し（Ｓ９４）、その求職者の就労する旨の情報および契約金請求情報を求人者専用ポータルサイトに表示する（Ｓ９５）。
【０１２７】
次に、求人者は、求職者の就労する旨の情報を確認し、求職者の採用を確定する。採用確定後、求人者は、求人者専用ポータルサイトを介して契約金を入金するかあるいは、契約金を求人求職支援サーバ１の事業者が指定する金融口座に入金する。そして、求人者は、求人者専用ポータルサイトに契約金支払い完了したことを所定の画面に入力する。求人者端末３は、入力された契約金支払い完了通知を求人求職支援サーバ１に送信する（Ｓ９５）。
【０１２８】
次に、求人求職支援サーバ１は、求人者端末３から送信された契約金支払い完了通知を受信する（Ｓ９６）。求人求職支援サーバ１の事業者は、契約金の支払い完了の確認を行う（Ｓ９７）。その事業者が契約金の支払い完了の確認後には（Ｓ９７のＹｅｓのフロー）、求人求職支援サーバ１の事業者は、該当する求職者の指定する指定する金融口座に支度金を入金し、求人求職支援サーバ１に契約金の支払い完了の確認情報および支度金支払い完了情報を入力する。
【０１２９】
次に、求人求職支援サーバ１は、入力された契約金の支払い完了および支度金支払い完了の確認情報を該当する求職者の履歴情報１０７に含めて求職者別ＤＢ５に、該当する求人者の履歴情報１１２に含めて求人者別ＤＢ６に記憶する。そして、求人求職支援サーバ１は、支度金支払い完了通知を求職者端末２に送信する（Ｓ９８）。
【０１３０】
次に、求職者端末２は、求人求職支援サーバ１より送信された支度金支払い完了通知を受信し（Ｓ９９）、その支度金支払い完了通知を求職者専用ポータルサイトに表示する。
【０１３１】
以上の処理により、求職者は、採用確定後に支度金を受け取ることができる。
以上、求職者からの視点で求職者専用ポータルサイトを作成してから、採用が決定され、支度金が支払われるまでの処理手順を説明した。以下、同様に、求人者からの視点で説明する。
【０１３２】
図１４は、本発明における実施の形態の求人者専用ポータルサイトを作成する処理手順を説明するためのフローチャートである。
【０１３３】
まず、求人者端末３は、求人求職支援サーバ１が提供するホームページへ求人するためにアクセスする（Ｓ１１０）。
【０１３４】
次に、求人求職支援サーバ１は、求人者端末３から求人のためにアクセスされたことを確認し、求人者専用ポータルサイトを作成するための基本情報を入力する求人者確認登録画面を求人者端末３に対して送信する（Ｓ１１１）。
【０１３５】
次に、求人者端末３は求人求職支援サーバ１より求人者確認登録画面を受信する。求人者は求人者確認登録画面に企業情報１１０を入力し、同時に求人者掲載について申込するための情報である求人者掲載申込情報を入力する。そして、求人者端末３は入力された企業情報１１０と求人者掲載申込情報とを求人求職支援サーバ１に送信する（Ｓ１１２）。
【０１３６】
次に、求人求職支援サーバ１は、求人者端末３より送信された企業情報１１０と求人者掲載申込情報とを受信する。そして、求人求職支援サーバ１は、ポータルサイトにて掲載するための情報となる求人者掲載情報を求人者端末３に対して送信する（Ｓ１１３）。
【０１３７】
次に、求人者端末３は求人求職支援サーバ１より求人者掲載情報を受信する。求人者は求人企業広告の掲載に必要となる情報を入力する。そして、求人者端末３は入力された求人者掲載情報を求人求職支援サーバ１に送信する（Ｓ１１４）。
【０１３８】
次に、求人求職支援サーバ１は、求人者端末３より送信された求人者掲載情報を受信する。そして、求人者が最初に登録した企業情報１１０および求人者掲載情報を企業情報１１０および希望情報１０９として求人者別データベース６へ記憶し、求人者専用ポータルサイトにアクセスするための求人者のＩＤおよびパスワード（以下、求人者ＩＤ／ＰＷと記載。）を求人者端末３に送信する（Ｓ１１５）。
【０１３９】
以上の処理により、求人者は、求人者専用ポータルサイトを作成することができる。
図１５は、本発明の実施の形態における求人者専用ポータルサイトを表示する処理手順を説明するためのフローチャートである。
【０１４０】
まず、求人者端末３は、求人求職支援サーバ１が提供するホームページにおいて、求人者ＩＤ／ＰＷを入力する画面を表示させる（Ｓ１２０）。
【０１４１】
次に、求人者端末３は、求職者ＩＤ／ＰＷ入力画面で、求人者専用に与えられた求人者ＩＤ／ＰＷを入力する（Ｓ１２１）。
【０１４２】
求人者ＩＤ／ＰＷが求人求職支援サーバ１に登録されている場合（Ｓ１２１の登録済のフロー）、求人求職支援サーバ１は、求人者ＩＤ／ＰＷ入力画面にて入力された求人者ＩＤ／ＰＷを受信する（Ｓ１２２）。そして、求人求職支援サーバ１は、求人者別ＤＢ６から求人者ＩＤの属性情報を収集する（Ｓ１２３）。ここで、求人者ＩＤの属性情報とは、図３における希望情報１０９、企業情報１１０、設定情報１１１および履歴情報１１２である。
【０１４３】
次に、求人求職支援サーバ１は、収集した求人者ＩＤの属性情報に応じて求人者専用ポータルサイトを提供する情報（以下、求人者専用ポータルサイト情報と記載。）を求人者端末３に提供する（Ｓ１２４）。
【０１４４】
次に、求人者端末３は、求人者専用ポータルサイト情報を受信し、求人者ＩＤ専用のポータルサイトを表示する（Ｓ１２５）。
【０１４５】
ただし、求人者ＩＤ／ＰＷが求人求職支援サーバ１にて登録されていない場合（Ｓ１２１の新規のフロー）、求人求職支援サーバ１は求人者ＩＤ／ＰＷ入力画面にて入力された求人者ＩＤ／ＰＷを受信しない。そして、求人者端末３から求人のためにアクセスされたとみなし、求人者専用ポータルサイトを作成するための基本情報である求人者確認登録画面を求人者端末３に対して送信する。
【０１４６】
以上の処理により、求人者は、求人者専用ポータルサイトを表示することができる。
図１６は、本発明の実施の形態におけるポータルサイトで表示された求人企業広告を更新する処理手順を説明するためのフローチャートである。
【０１４７】
まず、求人者は、求人者専用ポータルサイトで求人者専用ポータルサイトの設定変更ボタンを押す。求人者自身の求人企業サイトを編集する求人者専用ポータルサイトのページを表示後、所望の箇所について編集する。ただし、求人者専用ポータルサイト画面上での編集は、企業情報１１０を編集していることに相当する。
【０１４８】
次に、求人者端末３は、求人者専用ポータルサイトで編集した求人企業サイトの情報を求人求職支援サーバ１に送信する（Ｓ１３０）。
【０１４９】
次に、求人求職支援サーバ１は、編集された求人企業サイトの情報を受信し（Ｓ１３１）、企業情報１１０および履歴情報１１２に含めて、求人者別ＤＢに記憶する（Ｓ１３２）。このとき、先に記憶されていた企業情報１１０は差分のみ更新される。
【０１５０】
次に、求人求職支援サーバ１は、更新された企業情報１１０および履歴情報１１２を求人者端末３に送信する（Ｓ１３３）。
【０１５１】
次に、求人者端末３は、更新した企業情報１１０および履歴情報１１２を受信し、求人者ＩＤ専用のポータルサイトに表示する（Ｓ１３５）。
【０１５２】
以上の処理により、求人者は、ポータルサイトで表示される求人者の求人企業広告を更新することができる。
【０１５３】
図１７は、本発明の実施の形態における求人者が人材紹介ページにより紹介を受けた求職者に対して面接申し込みをする処理手順を説明するためのフローチャートである。
【０１５４】
まず、求人者端末３は、求人者専用ポータルサイトにアクセスし、人材紹介ページを表示する（Ｓ１４０）。
【０１５５】
次に、求人者端末３は、求人者専用ポータルサイトで表示された人材紹介ページで、紹介されている人材紹介候補者を確認し（Ｓ１４１）、その候補者の中で、人材紹介希望に該当する求職者がいるかどうか選定する（Ｓ１４２）。人材紹介希望する場合には（Ｓ１４２のＹＥＳのフロー）、求人求職支援サーバ１に人材紹介希望の情報を送信する。
【０１５６】
次に求人求職支援サーバ１は、求人者端末３より送信された人材紹介希望の情報を受信し（Ｓ１４３）、人材紹介希望のあった求職者の希望マッチング結果情報１１６を求人者端末３へ送信する（Ｓ１４４）。
【０１５７】
次に、求人者端末３は、人材紹介希望した求職者の希望マッチング結果情報１１６を受信し（Ｓ１４６）、人材紹介希望した求職者の希望マッチング結果情報１１６を求人者専用ポータルサイトに表示する（Ｓ１４６）。
【０１５８】
次に、求人者は、人材紹介希望した求職者の希望マッチング結果情報１１６を確認し、人材紹介希望された求職者に対して面接依頼の情報を送信する（Ｓ１４７）。
【０１５９】
次に、求人求職支援サーバ１は、求人者端末３から面接依頼の情報を受信し（Ｓ１４８）、該当する求職者の履歴情報１０７に含めて求職者別ＤＢ５および面接依頼した求人者の履歴情報１１２に含めて求人者別ＤＢ６に記憶する（Ｓ１５０）。
【０１６０】
次に、求人求職支援サーバ１は、該当する求職者の求職者端末２に、面接申込企業情報を送信する（Ｓ１５０）。
【０１６１】
次に、求職者端末２は、求人求職支援サーバ１からの面接申込企業情報を受信し（Ｓ１５１）、求職者専用ポータルサイトに表示する。
【０１６２】
求職者は、面接申込企業の面接へ行くかどうかの返答となる選考結果を入力する。求職者端末２は、その選考結果を送信する（Ｓ１５２）。
【０１６３】
次に、その選考結果を該当する求人者の履歴情報１１２に含めて求人者別ＤＢ６に記憶し、同時に求職者の履歴情報１０７に含めて求職者別ＤＢ５に記憶する（Ｓ１５３）。そして、求人求職支援サーバ１は、その選考結果を求人者端末３に送信する（Ｓ１５４）。
【０１６４】
次に、求人者端末３は、求人求職支援サーバ１より送信された選考結果を受信し（Ｓ１５５）、その選考結果を求人者専用のポータルサイトに表示する（Ｓ１５６）。
【０１６５】
以上の処理により、求人者は、人材紹介ページにより紹介を受けた求職者に対して面接申し込みをすることができる。
【０１６６】
図１８および図１９は上述した処理手順をまとめた図である。
図１８は、求職者が求職者専用ポータルサイトに表示された求人企業紹介サイトを利用して求職活動を行った結果、採用が確定され支度金の支払いを受けるまでの流れを示している。
【０１６７】
ここでは、求職者専用ポータルサイトに表示された求人企業紹介サイトを利用したが、同時に求職者専用ポータルサイトに表示された人材紹介ページ（図中、人材紹介サイトと記載。）も参照していたことを示している。
【０１６８】
図１９は、求職者が求職者専用ポータルサイトに表示された人材紹介ページを利用して求職活動を行った結果、採用が確定され支度金の支払いを受けるまでの流れを示している。
【０１６９】
ここでは、求職者専用ポータルサイトに表示された人材紹介ページを利用して求職活動を開始したことを示している。同時に、上述したように、人材紹介ページで紹介された求人の求人企業サイトを利用して求職活動できることを示している。
【０１７０】
以上のように、求職者はより希望に合う求人者を探したり、紹介されたりするだけでなく、希望に合う求人者に対して面接から採用が決定するまでの情報も専用のポータルサイトに集約して表示することができる。また、求人者は、人材紹介のために新たに異なるサイトに登録する必要もなく、より希望に合う求職者を探せ、希望に合う求職者からの面接から採用を決定するまでの情報も専用のポータルサイトに集約して表示することができる。
【０１７１】
さらに、本発明における求人求職支援サーバ１用いて求職し採用された求職者に対して、特典となる支度金を支払うことで、求職者は本発明における求人求職支援サーバ１を用いて情報をやりとりするインセンティブが働くことになる。それにより、求職者が求職者専用ポータルサイトを介して採用決定されるまで本発明における求人求職支援サーバ１を使用することだけでなく、本発明における求人求職支援サーバ１用いて求職者の数を増大させることができる。そのため、求人者にとっても本発明における求人求職支援サーバ１を用いて情報をやりとりするインセンティブが働くことになるので、求人者および求職者の求職求人活動に関わる情報を漏れなく集めることができる。
【０１７２】
以上のように、本実施の形態によれば、求人者および求職者に対して、インターネットの求人および求職で利用する情報を集約することで効率的な求人求職が可能となる求人求職支援サーバを実現できる。
【０１７３】
なお、上述した求人者専用ポータルサイトおよび求職者専用ポータルサイトは、情報を集約して表示するために画面を構成するのであり、実施の形態で説明したセクションおよびボタンのような画面に限定されない。
【０１７４】
以上、本発明の求人求職支援サーバについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１７５】
本発明は、求人求職システムに利用でき、特にインターネットを介して求人求職するサイトに用いられる求人求職システムとして利用することができる。
【図面の簡単な説明】
【０１７６】
【図１】本発明における実施の形態の求人求職支援システムの全体イメージを示す図である。
【図２】本発明における実施の形態の求人求職支援システムのハードウェア構成を示す図である。
【図３】本発明における実施の形態の求人求職支援システムの特徴的な機能構成を示すブロック図である。
【図４】本発明における実施の形態のブラウザで表示される求職者専用のポータルサイトの画面イメージの一例図である。
【図５】本発明における実施の形態のブラウザで表示される求人者専用のポータルサイトの画面イメージの一例図である。
【図６】本発明における実施の形態の求職者専用ポータルサイトを作成する処理手順を説明するためのフローチャートである。
【図７】本発明における実施の形態の求職者専用ポータルサイトを表示する処理手順を説明するためのフローチャートである。
【図８】本発明における実施の形態の求職者専用ポータルサイトにて求人者を検索する処理手順を説明するためのフローチャートである。
【図９】本発明における実施の形態の人材紹介ページで紹介された求人者を求職者専用のポータルサイトに登録する場合の処理手順を説明するためのフローチャートである。
【図１０】本発明における実施の形態の求職者が面接依頼をして求人者から面接結果を受けるまでの処理手順を説明するためのフローチャートである。
【図１１】本発明における実施の形態の求職者が求人者と面接後、求職者専用のポータルサイトを介して求人者より面接結果を受けるまでの処理手順を説明するためのフローチャートである。
【図１２】本発明における実施の形態の求人者から面接結果を求職者専用のポータルサイトに求職者自らが登録する処理手順を説明するためのフローチャートである。
【図１３】本発明における実施の形態の求職者へ支度金入金が入金されるまでの処理手順を説明するためのフローチャートである。
【図１４】本発明における実施の形態の求人者専用ポータルサイトを作成する処理手順を説明するためのフローチャートである。
【図１５】本発明における実施の形態の求人者専用ポータルサイトを表示する処理手順を説明するためのフローチャートである。
【図１６】本発明における実施の形態のポータルサイトで表示される求人者の求人企業広告を更新する処理手順を説明するためのフローチャートである。
【図１７】本発明における実施の形態の求人者が人材紹介ページにより紹介を受けた求職者に対して面接申し込みをする処理手順を説明するためのフローチャートである。
【図１８】本発明における実施の形態をまとめた図である。
【図１９】本発明における実施の形態をまとめた図である。
【符号の説明】
【０１７７】
１    求人求職支援サーバ
２    求職者端末
３    求人者端末
４    Ｉ／Ｆ
５    求職者別データベース
６    求人者別データベース
７    求人求職支援データベース
１０１    処理部
１０２    求職者別ポータル処理部
１０３    求人者別ポータル処理部
１０４、１０９    希望情報
１０５    個人情報
１０６、１１１    設定情報
１０７、１１２    履歴情報
１１０    企業情報
１１３    マッチング処理部
１１４    企業紹介マッチング処理部
１１５    人材紹介マッチング処理部
１１６    希望マッチング結果情報
１１７    求人企業広告情報
２０１、３０１    ブラウザ
２０２、３０２    入出力部
４０１    職種検索セクション
４０２    キーワード検索セクション
４０３    条件検索セクション
４０４    新着求人情報セクション
４０５    希望マッチング情報セクション
４０６    トピックスセクション
４０７    人材紹介新着情報セクション
４０８    個人情報編集ボタン
４０９、５０６    ログアウトボタン
４１０、５０７    設定変更ボタン
５０１    求人企業広告確認セクション
５０２    求職者応答情報セクション
５０３    新着求職者依頼情報セクション
５０４    人材紹介新着情報セクション
５０５    企業情報編集ボタン
【図１】
2008197726.tif 000003
【図２】
2008197726.tif 000004
【図３】
2008197726.tif 000005
【図４】
2008197726.tif 000006
【図５】
2008197726.tif 000007
【図６】
2008197726.tif 000008
【図７】
2008197726.tif 000009
【図８】
2008197726.tif 000010
【図９】
2008197726.tif 000011
【図１０】
2008197726.tif 000012
【図１１】
2008197726.tif 000013
【図１２】
2008197726.tif 000014
【図１３】
2008197726.tif 000015
【図１４】
2008197726.tif 000016
【図１５】
2008197726.tif 000017
【図１６】
2008197726.tif 000018
【図１７】
2008197726.tif 000019
【図１８】
2008197726.tif 000020
【図１９】
2008197726.tif 000021
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
求職者が使用する求職者端末と求人者が使用する求人者端末とにインターネットを介して接続される求人求職支援サーバであって、
求職者に関する情報である求職者情報を記憶する求職者データベースと、
求人者に関する情報である求人者情報を記憶する求人者データベースと、
求職者ごとのポータルサイトである求職者ポータルサイトを提供する求職者ポータル手段と、
求人者ごとのポータルサイトである求人者ポータルサイトを提供する求人者ポータル手段と、
前記求職者ポータルサイトを介して、前記求人者情報を当該求職者ポータルサイトに対応付けられた前記求職者端末に提供する企業紹介手段と
あらかじめ決められた頻度で前記求職者情報と前記求人者情報とを照合することで、前記求職者ポータルサイトを介して、当該求職者ポータルサイトに対応付けられた前記求職者の希望に沿う前記求人者情報を当該求職者ポータルサイトに対応付けられた前記求職者端末に提供するとともに、前記求人者ポータルサイトを介して、当該求人者ポータルサイトに対応付けられた前記求人者の希望に沿う前記求職者情報を当該求人者ポータルサイトに対応付けられた前記求人者端末に提供する人材紹介手段とを備え、
前記求職者ポータル手段は、
前記求職者端末からの指示を受けて、前記求人者データベースに記憶されている求人者情報を前記企業紹介手段に検索させ、前記企業紹介手段が検索した結果である前記求職者の希望に沿う求人者情報を、前記人材紹介手段の照合した結果である前記求職者の希望に沿う前記求人者情報とともに集約し、一画面の情報として当該求職者端末に提供し、
前記求人者ポータル手段は、
前記求人者端末からの指示を受けて、前記求人者データベースに記憶されている求人者情報を前記企業紹介手段に更新させ、前記企業紹介手段が更新した前記求人者情報を、当該求人者端末に提供する
ことを特徴とする求人求職支援サーバ。
【請求項２】
前記求人求職支援サーバは、さらに、
求人者ポータルサイトもしくは求職者ポータルサイトを介して求人者による求職者の採用の決定の情報が前記求人者データベースおよび前記求職者データベースに記憶された場合、所定の金額を当該求職者に電子的に入金する旨の情報を、求人者ポータルサイトを介して当該求人者端末に提供し、当該求職者に電子的に入金した旨の当該求人者端末からの完了情報を求人者ポータルサイトを介して提供されたとき、当該求職者ポータルサイトを介して当該求職者ポータルサイトに対応付けられた求職者端末に所定の金額を入金したとの情報を提供する
ことを特徴とする請求項１に記載の求人求職支援サーバ。
【請求項３】
前記求職者データベースは、
求職者自身を示す情報である求職者情報と、求職者の希望条件を示す情報である求職者希望条件情報と、前記求人求職支援サーバを利用し求職者の求人者へのアプローチ状況およびその結果を示す情報である求職者履歴情報とを含む前記求職者情報が記憶される
ことを特徴とする請求項１に記載の求人求職支援サーバ。
【請求項４】
前記求人者データベースは、
求人者自身を示す情報を含み求人のための広告を形成する情報である求人者広告情報と、求人者の求職者に対する希望条件を示す情報である求人者希望条件情報と、前記求人求職支援サーバの利用履歴や求職者の応募の有無およびそのアプローチ状況とを示す情報である求人者履歴情報を含む前記求人者情報が記憶される
ことを特徴とする請求項１に記載の求人求職支援サーバ。
【請求項５】
前記求人求職支援サーバは、さらに、
前記求人者データベースに記憶されている、求人者自身を示す情報と求人のための広告を形成する情報とを含む情報である前記求人者広告情報と、
前記求職者データベースに記憶されている求職者の希望条件を示す情報である前記求職者希望条件情報と、前記求人者データベースに記憶されている求人者の求職者に対する希望条件を示す情報である前記求人者希望条件とから得られた前記求職者の希望に沿う求人者情報かつ前記求人者の希望に沿う求職者情報である照合結果情報が記憶される求人求職支援データベースとを備える
ことを特徴とする請求項１に記載の求人求職支援サーバ。
【請求項６】
前記企業紹介手段は、さらに、
求人者自身を示す情報と求人のための広告を形成する情報とを含む情報である前記求人者広告情報を前記求人者データベースに記憶されている前記求人者情報より抽出し、抽出された前記求人者広告情報を前記求人求職支援データベースに記憶し、
前記求職者ポータル手段は、
前記求人求職支援データベースに記憶された前記求人者広告情報を求職者端末に提供する
ことを特徴とする請求項５に記載の求人求職支援サーバ。
【請求項７】
前記人材紹介手段は、
前記求職者データベースに記憶されている前記求職者情報より抽出した求職者の希望条件を示す情報である前記求職者希望条件情報と、前記求人者データベースに記憶されている前記求人者情報より抽出した求人者の求職者に対する希望条件を示す情報である前記求人者希望条件とを照合し、
照合した照合結果情報である前記求職者の希望に沿う求人者情報かつ前記求人者の希望に沿う求職者情報を前記求人求職支援データベースに記憶し、
前記求人求職支援データベースに記憶された当該求人者情報および当該求職者情報を前記求職者ポータルサイトを介して、当該求職者ポータルサイトに対応付けられた前記求職者の希望に沿う前記求人者情報を当該求職者ポータルサイトに対応付けられた前記求職者端末に提供するとともに、前記求人者ポータルサイトを介して、当該求人者ポータルサイトに対応付けられた前記求人者の希望に沿う前記求職者情報を当該求人者ポータルサイトに対応付けられた前記求人者端末に提供する
ことを特徴とする請求項５に記載の求人求職支援サーバ。